(57)【特許請求の範囲】
【請求項１】
浴槽が、上縁面と、この上縁面より垂下しガイド用凸部を有する垂下部と、この垂下部と離間を有して上縁面裏面に設けられるエプロン固定リブとを有し、上記エプロンが、その上端を上記垂下部とエプロン固定リブとの間に臨ませ、エプロンと垂下部との間のみに弾性を有するスペーサを配置し、このスペーサによりエプロンを固定用リブに押付ける浴槽エプロンの取付構造。
【請求項２】
弾性を有するスペーサが、取付け片と、断面略Ｖ字又はＵ字状の折り返し片とを有し、この折り返し片の部分が弾性変形する合成樹脂の射出成形品であることを特徴とする請求項１に記載の浴槽エプロンの取付構造。
【請求項３】
浴槽と、この浴槽に設置されるエプロンとを備え、前記エプロンの浴槽への取付構造が請求項１、または、請求項２に記載の取付け構造を有する浴室。
【発明の詳細な説明】
【０００１】
【発明の属する技術分野】
本発明は、浴槽本体とエプロンを別体に形成してなる浴槽エプロンの取付構造、詳しくはエプロン上部の浴槽への取付構造に関する。
【０００２】
【従来の技術】
浴槽本体とエプロンを別体に形成した浴槽におけるエプロン取付構造は、従来より、エプロンの下部は浴槽本体下部あるいは浴槽本体の脚部に取付けた支持具などにより支持されるようになっている。
一方、エプロンの上部は、従来、図６に示すように浴槽本体１１の上縁面１１ａの内部にステンレス鋼板を用いたばね金具５等を取付けてエプロン１２とエプロン差し込み部との隙間を埋め、浴槽本体１１の上縁面垂下部１１ｂの裏面にエプロン１２の上端部を差し込む構造としたものや、図７に示すようにエプロン１２にクッション材６を巻いて浴槽上縁面１１ｂ裏側にエプロン１２の上端部を差し込む構造としたものが知られている。
【０００３】
また、図８に示すように浴槽本体１１の上縁面１１ａの裏側に取付けた係止具４の垂下片４ａ及び折返し片４ｂの先端部分をエプロン１２の上端面に設けた係止孔１２ａに挿通して、この折返し片４ｂが係止孔１２ａの孔縁に弾接されるようにした浴槽エプロンの取付構造も知られている（実開平３−２１２９０号公報参照）。
【０００４】
【発明が解決しようとする課題】
しかしながら、従来の技術で述べた図６及び図７の構造においては、ばね金具５やクッション材６をエプロン上端部に取付けるだけで済むため取付け方は簡単ではあるが、エプロン１２の脱着を繰り返すとクッション材６が剥がれたり、ばね金具５が変形したりして、取付け後にがたつきが発生するという問題点を有していた。
また、図８の構造においては、エプロン１２の係止孔１２ａに浴槽本体１１裏面に取付けた係止具４の垂下片４ａ及び折返し片４ｂが弾接するためエプロン１２上部が外れにくくはなるものの、エプロン１２に係止孔１２ａを設けるためにエプロン成形後に孔明け加工が必要となって作業効率が悪く、さらに、係止具４のばね効果を出すためには係止具自体の板厚をあまり厚くすることができないため、強度的に弱くエプロン取付け時に変形して、エプロンの取付け作業に時間がかかるという問題点も有していた。
【０００５】
本発明はこのような問題点に鑑みてなされたもので、エプロンへの孔明け加工が不要となってエプロン製作における作業効率が向上し、取付け後のがたつきがなく、さらに、取付け作業も容易な浴槽エプロンの取付構造を提供することを目的としている。
【課題を解決するための手段】
【０００６】
【課題を解決するための手段】
上記目的を達成するためには、請求項１記載の発明における浴槽エプロンの取付構造は、浴槽が、上縁面と、この上縁面より垂下しガイド用凸部を有する垂下部と、この垂下部と離間を有して上縁面裏面に設けられるエプロン固定リブとを有し、上記エプロンが、その上端を上記垂下部とエプロン固定リブとの間に臨ませ、エプロンと垂下部との間のみに弾性を有するスペーサを配置し、このスペーサによりエプロンを固定用リブに押付けることを特徴とする。
【０００７】
請求項２に記載の発明は、請求項１記載の発明において、弾性を有するスペーサが、取付け片と、断面略Ｖ字又はＵ字状の折り返し片とを有し、この折り返し片の部分が弾性変形する合成樹脂の射出成形品であることを特徴とする。
【０００８】
請求項３記載の発明における浴室は、浴槽と、この浴槽に設置されるエプロンとを備え、前記エプロンの浴槽への取付構造が請求項１に記載の取付け構造を有することを特徴とする。
【００１０】
本発明における弾性体からなるスペーサは、リベットなどによる取付けとなる金属製に比べて安価に製作することができるＰＰ樹脂などの射出成形品からなり、エプロンが取付けられる浴槽本体の一辺の上縁面垂下部裏面、又はエプロン表面側の上端に、接着剤又は両面粘着テープを用い適宜間隔で複数個固定される。
【００１１】
そして、本発明における浴槽エプロンの取付構造においては、浴槽本体の上縁面垂下部内にエプロン上端部分を挿入した時、弾性体からなるスペーサの折り返し片の部分が弾性変形してエプロン上端をエプロン固定用リブ側に押し付けることにより、スペーサの折り返し片とエプロン固定用リブとで挾着される。
また、浴槽本体の上縁面垂下部裏面の幅方向に適宜間隔を有して複数個のガイド用凸部を設けることにより、エプロン上端の浴槽本体の上縁面垂下部内への挿入時、ガイド用凸部によってエプロン上端が直接スペーサの接着部分に当たることがなく、スペーサ自体の脱落が防止される。
【００１２】
【発明の実施の形態】
以下、本発明に係る浴槽エプロンの取付構造の実施形態について、図１乃至図５に基づいて説明する。
【００１３】
図１は本発明による浴槽エプロンの取付構造の一実施例を示す部分断面図、図２は図１におけるスペーサ取付け部分の斜視図、図３は他の実施例を示す部分断面図、図４は浴槽本体へのエプロン取付け状態を示す部分断面図、図５は浴槽本体へのエプロン取付け状態を示す全体斜視図である。
【００１４】
図１において、ＰＰ樹脂を用いて射出成形される弾性体からなるスペーサ３は、エプロン２上端部の折曲片２ａを上縁面垂下部１ｂ内に挿入させる時、上縁面垂下部１ｂ裏面下方に取付けたスペーサ３の折り返し片３ｂ上をエプロン２の上端をスライドさせることによって該スペーサ３の折り返し片３ｂを押圧して弾性変形させ、さらにガイド用凸部１ｄに沿って挿入させることによりエプロン２の折曲片２ａ部分が、弾性体であるスペーサ３の折り返し片３ｂ上部とスペーサ３に対向して形成されたエプロン固定用リブ１ｃとの間に挟着される。
【００１５】
本発明に用いられるスペーサの形状は、略Ｖ字状、略Ｕ字状であってもよいが、その折り返し角度はエプロンが差し込まれた時、エプロン上端部の折曲片部分が挟着されて、エプロン固定用リブとの隙間をなくし、がたつかない角度に設定する。
【００１６】
【実施例】
図１及び図２において、１は、浴槽の四周に上縁面１ａが設けられ、上縁面１ａの外側端部を下方に垂下して上縁面垂下部１ｂを設けてなる浴槽本体である。１ｃは、上縁面垂下部１ｂに対向して上縁面１ａ裏面に突出して形成されたエプロン固定用リブであり、該エプロン固定用リブ１ｃは浴槽本体１と一体に形成されている。
１ｄは、スペーサ３の位置決め及びエプロン差し込み時のガイド用凸部であり、上縁面垂下部１ｂ裏面のスペーサ３が取付けられる位置に隣接して設けられ、スペーサ３における取り付け片３ａからの折り返し部分が上縁面垂下部１ｂ裏面の縦方向に形成されるガイド用凸部１ｄよりも低くなるように、且つ上方のスペーサ３先端部が差し込みガイド１ｄよりも高くなるように形成される。
【００１７】
２は、上方に折曲片１ａ及び下縁面（図示せず）を有し浴槽の前面に取り付けられるエプロンである。
３は、断面略Ｖ字状又はＵ字状で適宜幅を有するスペーサであり、該スペーサ３はＰＰ樹脂の射出成形により形成される。そして、その折り返し角度θ（図４参照）はエプロン２が差し込まれた時、エプロン２上端部に設けた折曲片２ａが強く挟着されて、エプロン固定用リブ１ｃとの隙間をなくし、且つがたつかない角度に設定する。
【００１８】
エプロン２が取付けられる浴槽本体１の上縁面垂下部１ｂ裏面に設けた前記ガイド用凸部１ｄの片側に沿わせて、上縁面垂下部１ｂ下端より上方に向けて、取り付け片３ａ及び折り返し片３ｂからなる断面略Ｖ字状又はＵ字状で適宜幅を有するスペーサ３を、このスペーサの取り付け片３ａを接着剤や両面粘着テープ等で複数個固定する。
なお、図１及び図２においてはスペーサ３を、浴槽本体１の上縁面垂下部１ｂの裏面に取付け固定する構成としたが、上記実施例に限定されず、図３に示すようにエプロン２の折曲片２ａに隣接して直交する平面部に取付けてもよい。
【００１９】
次ぎに、エプロン２を浴槽本体１へ取付ける場合について図４及び図５に基づき説明すると、図４において、エプロン２を矢印の方向に持ち上げて、エプロン２の折曲片２ａをエプロン固定用リブ１ｃとガイド用凸部１ｄとをガイドとして上縁面垂下部１ｂ裏面に差し込み、上方に向け押しつけたまま、エプロン下部を浴槽本体１側に押し込んで、図５に示されるようにエプロン２に対向する浴槽本体１側面下部に取付けた係合具７に嵌合させる。
【００２０】
【発明の効果】
本発明による請求項１記載の浴槽エプロンの取付構造は、浴槽が、上縁面と、この上縁面より垂下しガイド用凸部を有する垂下部と、この垂下部と離間を有して上縁面裏面に設けられるエプロン固定リブとを有し、上記エプロンが、その上端を上記垂下部とエプロン固定リブとの間に臨ませ、エプロンと垂下部との間のみに弾性を有するスペーサを配置し、このスペーサによりエプロンを固定用リブに押付ける構成としたので、エプロン成形後の孔明け加工が不要になって作業効率が向上するとともに、取付け後のがたつきがなく、エプロンの取付け作業も容易となる効果を奏する。また、エプロン上端の浴槽本体の上縁面垂下部内への挿入時、ガイド用凸部によってエプロン上端が直接スペーサの接着部分に当たることがなく、スペーサ自体の脱落が防止される効果がある。
【００２１】
また、請求項２に記載のように、弾性を有するスペーサが、断面略Ｖ字又はＵ字状の折り返し片を有する合成樹脂の射出成形品であることにより、エプロンの折曲片部分が、弾性体であるスペーサの折り返し片上部とスペーサに対向して形成されたエプロン固定用リブとの間に挟着される。
【図面の簡単な説明】
【図１】本発明によるエプロン取付構造の一実施例を示す部分断面図である。
【図２】図１におけるスペーサ取付け部分の斜視図である。
【図３】図１とは別の実施例を示す部分断面図である。
【図４】本発明における浴槽本体へのエプロン取付け状態を示す部分断面図である。
【図５】本発明における浴槽本体へのエプロン取付け状態を示す全体斜視図である。
【図６】従来の実施例を示す部分断面図である。
【図７】従来の実施例を示す部分断面図である。
【図８】従来の実施例を示す部分断面図である。
【符号の説明】
１…浴槽本体                      １ａ…上縁面
１ｂ…上縁面垂下部                  １ｃ…エプロン固定用リブ
１ｄ…ガイド用凸部                    ２…エプロン
２ａ…折曲片                          ３…スペーサ
３ａ…取り付け片                    ３ｂ…折り返し片
４…係止具                        ４ａ…垂下片
４ｂ…折返し片                        ５…ばね金具
６…クッション材                    ７…係合具
８…支持具                        １１…浴槽本体
１１ａ…上縁面                      １１ｂ…上縁面垂下部
１２…エプロン                    １２ａ…係止孔
【図１】
0003827030.tif 000002
【図２】
0003827030.tif 000003
【図３】
0003827030.tif 000004
【図４】
0003827030.tif 000005
【図５】
0003827030.tif 000006
【図６】
0003827030.tif 000007
【図７】
0003827030.tif 000008
【図８】
0003827030.tif 000009